(57)【特許請求の範囲】
【請求項１】
光学的及び／または電気的導体を連結するコネクタであって、一以上の第１導体用の案内溝を備えた第１案内板を有する第１コネクタ部材と、上記第１導体に接続されるように対応して設けられた一以上の第２導体用の案内溝を備えた第２案内板を有し上記第１コネクタ部材に連結される第２コネクタ部材とを具備し、上記案内板はコネクタ部材の連結位置において案内板を相互に位置決めする位置決め手段を備え、上記位置決め手段は、Ｘ方向に真っ直ぐに延びて協同する基準面を備えた第１突起及び第１スロットと、Ｙ方向に真っ直ぐに延びて協同する基準面を備えた第２突起及び第２スロットとを具備し、上記基準面はすべて案内溝に対して予め決められた位置に配され、第２案内板は前記第２コネクタ部材のハウジングにＸ、Ｙ、Ｚ方向に移動可能な状態で収容され、コネクタ部材の連結時に上記協同する基準面と上記案内板を相互にＸ、Ｙ、Ｚ方向に押圧する力を作用させる手段が設けられたコネクタにおいて、上記手段は、第２案内板に形成され、Ｘ、Ｙ、Ｚ方向に角度がつけられた面を有し、これらの方向のうちの一方向に作用する力を上記面に働かせるバネ手段が設けられたことを特徴とするコネクタ。
【請求項２】
ハウジングにピンが摺動自在に設けられ、該ピンは一端が第２案内板の上記傾斜面に係合し他端にはバネの力が作用させられていることを特徴とする請求項１記載のコネクタ。
【請求項３】
ピンの上記一端は滑らかで丸く形成され、案内板の上記傾斜面もまた滑らかに形成されていることを特徴とする請求項２記載のコネクタ。
【請求項４】
ピンはハウジング内にＺ方向に摺動自在に設けられていることを特徴とする請求項２または３記載のコネクタ。
【請求項５】
第２案内板の上記傾斜面はＸ、Ｙ、Ｚ方向に対して４５゜の角度をなしていることを特徴とする請求項１ないし４の何れかに記載のコネクタ。
【発明の詳細な説明】
【０００１】
【産業上の利用分野】
本発明は、先のオランダ特許出願第９２００８８４号に記載した形式の光学的及び／または電気的導体を連結するコネクタに関する。
【０００２】
【発明が解決しようとする課題】
本発明は上記のコネクタの構造を簡単なものにすることを目的とする。
【０００３】
【課題を解決するための手段】
本発明では、光学的及び／または電気的導体を連結するコネクタであって、一以上の第１導体用の案内溝を備えた第１案内板を有する第１コネクタ部材と、上記第１導体に接続されるように対応して設けられた一以上の第２導体用の案内溝を備えた第２案内板を有し上記第１コネクタ部材に連結される第２コネクタ部材とを具備し、上記案内板はコネクタ部材の連結位置において案内板を相互に位置決めする位置決め手段を備え、上記位置決め手段は、Ｘ方向に真っ直ぐに延びて協同する基準面を備えた第１突起及び第１スロットと、Ｙ方向に真っ直ぐに延びて協同する基準面を備えた第２突起及び第２スロットとを具備し、上記基準面はすべて案内溝に対して予め決められた位置に配され、第２案内板はハウジングにＸ、Ｙ、Ｚ方向に移動可能な状態で収容され、コネクタ部材の連結時に上記協同する基準面と上記案内板を相互にＸ、Ｙ、Ｚ方向に押圧する力を作用させる手段が設けられたコネクタにおいて、上記押圧力作用手段を、第２案内板に形成され、Ｘ、Ｙ、Ｚ方向に角度がつけられた面と、これらの方向のうちの一方向に作用する力を上記面に働かせるバネ手段とにより構成したものである。
【０００４】
【作用】
このようにして、必要なＸ、Ｙ、Ｚ方向の力を生じさせるためにただ一つのスプリング手段を必要し、該スプリング手段によって傾斜面に対して生じる力がこの面によってＸ、Ｙ、Ｚ方向に分散されるコネクタが得られる。
【０００５】
【実施例】
図１には、例えば第１プリント配線基板１と第２プリント配線基板２のようなプリント配線基板間を連結する実施例の形で、光学的及び／または電気的導体、特にその接触パッド（接触部材）を相互に連結するコネクタが示されている。図示しないが公知の方法で複数の光ファイバーがプリント配線基板１、２に埋め込まれており、プリント配線基板１内の該光ファイバーにはプリント配線基板１の表面と一致する一平面に配された複数の接触パッドが設けられている。このため、第１案内板３がプリント配線基板１内に埋め込まれており、その主要面はプリント配線基板１の表面と同一の平面に位置している。但し、案内板３のこの主要面はプリント配線基板１の表面の下に来るようにすることもまた可能である。上記案内板３には複数の案内溝４が形成され、光ファイバーはこれら案内溝４内にそれぞれ位置させられており、これら案内溝４によって光ファイバーの位置が決まることになる。上記案内溝４は案内板３の主要面に向かって上方に徐々に傾斜しており、これにより光ファイバーの端部が主要面に向けて案内されるようになっている。光ファイバーの上記プリント配線基板１から延出する部分は、それらがプリント配線基板１の表面に位置するように研磨されている。上記案内板３を少なくとも部分的に囲むハウジング５とともに該案内板３がコネクタの第１コネクタ部材６を構成している。
【０００６】
第２コネクタ部材７は、上記ハウジング５の収容空間９に収容されるハウジング８を具備している。該ハウジング８には、端部がハウジング８から突出して第２案内板として機能する可動部材１０が設けられている。この案内板１１には上記案内溝４に対応する複数の案内溝１２が形成されており、これら案内溝１２は案内板の主要面に徐々に延出している。プリント配線基板２内に埋め込まれた光ファイバーは図示しない方法でプリント配線基板から外方に向けて案内されて案内溝１２に固定されており、プリント配線基板２の光ファイバーの位置もまたこれら案内溝１２によって決まる構造とされている。光ファイバーの上記案内板１１から外方に突出する部分は、案内板１１の主要面に接触パッドが来るように研磨されている。
【０００７】
プリント配線基板１とプリント配線基板２の導体間の良好な接続を実現するためには、光ファイバーの接触パッドが相互に精確に接触することが非常に重要であり、特に案内溝４、１２の長手方向を横切る方向においての精確さが重要である。このため、案内板３には、案内溝４に対して予め定められた位置に非常に高精度に配された真っ直ぐな基準面１４を備えた突起１３が設けられている。このような真っ直ぐな基準面を案内溝４に対して精確に決められた位置に形成することは製作上は比較的簡単である。該突起１３の突出端には位置合わせ縁１５が形成されている。
【０００８】
上記案内板１１には、上記案内溝１２に対して予め決められた位置に高精度に配された真っ直ぐな基準面１７を備えたスロット１６が形成されている。コネクタ部材６、７を連結する場合、先ずハウジング５、８が相互に対向する位置に位置させられて、荒い位置決めがなされる。部材１０は相互に直交する３方向、すなわちＸ、Ｙ、Ｚ方向として図面に示された方向に移動可能になるようにハウジング８内に配設されている。基準面１４、１７はＹ方向に平行となっている。
【０００９】
説明した実施例では、部材１０はＸ、Ｙ、Ｚ方向にある角度をなす面１８を有している。一本のピン１９がハウジング８内に摺動自在に配設され、該ピン１９の滑らかで丸い端部が前記傾斜面１８に係合するようになっている。ピン１９の他端には頭部２０が設けられており、バネ２１が該頭部２０に係合して面１８に対してピン１９を押圧している。この様な構造により、単一のバネ２１が傾斜面１８にＸ、Ｙ、Ｚ方向に分散する力を作用させる。ここで、傾斜面１８は、Ｘ、Ｙ、Ｚ方向についてそれぞれ４５゜の角度をなすのが好ましい。また、この傾斜面１８自体は、ピン１９の端部とこの面との摩擦が最小になるように滑らかに研磨されるのが好ましい。
【００１０】
双方のコネクタ部材６、７を相互に連結すると、突起１３がスロット１６と協同して案内板３、１１を相互に適切な位置に位置させるが、その位置ではバネ２１の作用により基準面１７が基準面１４に対して押しつけられる。これによって、案内溝４、１２が精確に位置合わせされ、これら案内溝を横切る方向について導体の接触パッドが互いに精確に位置させられる。
【００１１】
案内溝４、１２の長手方向の位置決めは、Ｘ方向に延びる真っ直ぐな基準面２３を備えた突起２２によって同様にして達成される。この突起２２にもまた位置合わせ縁１５が形成されている。案内板１１には真っ直ぐな基準面２５を備えたスロット２４が形成されている。前記バネ２１はピン１９と面１８を介してスロット２４の基準面２５を突起２２の基準面２３に対して押しつける力を作用させる。これによって、案内溝４、１２の長手方向の相互位置も精確に決められ、導体の接触パッドも相互に長手方向に精確に位置させられる。
【００１２】
また、バネ２１は、ピン１９と面１８を介して案内板１１を案内板３の方向に押圧することにより、導体の接触パッドは、コネクタ部材６、７の連結位置において相互に押しつけられることとなる。
【００１３】
発明は上記の実施例に限定されるものではなく、特許請求の範囲に記載した範囲内で多くの変形が可能である。
【００１４】
【発明の効果】
上記構成のコネクタは、構造が簡単な上に、導体の精確な位置決めを可能にするという効果を奏する。
【図面の簡単な説明】
【図１】本発明のコネクタの１実施例を示す断面図であり、（ａ）は一方のコネクタ部材、（ｂ）は他方のコネクタ部材を示す。
【図２】図１（ｂ）のコネクタ部材のＩＩ−ＩＩ線に沿った断面図である。
【図３】図１（ａ）のコネクタ部材の概略平面図である。
【図４】図１（ｂ）のコネクタ部材の端面図である。
【符号の説明】
３、１１…案内板
４、１２…案内溝
６、７…コネクタ部材
１０…可動部材
１３、２２…突起
１４、１７、２３、２５…基準面
１６、２４…スロット
１８…傾斜面
１９…ピン
２１…バネ
【図１】
0003545022.tif 000002
【図２】
0003545022.tif 000003
【図３】
0003545022.tif 000004
【図４】
0003545022.tif 000005